【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
インクジェット記録装置であって、
記録媒体に液体を塗布するための塗布部材と、前記塗布部材に当接して形成される液体保持空間に液体を保持するための保持部材とを備え、前記塗布部材を回転させることにより前記液体保持空間に保持される液体を前記塗布部材を介して前記記録媒体に塗布する塗布手段と、
前記塗布手段により液体が塗布された記録媒体に対して記録ヘッドからインクを吐出させることにより前記記録媒体に画像を記録する記録手段と、
前記液体を貯蔵する貯蔵手段と、
前記貯蔵手段と前記保持部材とを連通するための経路と、
前記貯蔵手段と前記保持部材とを前記経路を介して連通する状態にするか、大気と前記保持部材とを前記経路を介して連通する状態にするかを切換える切換手段と、
前記経路および前記液体保持空間を含む流路において、前記液体の流れを発生させるための液体移動手段と、
前記切換手段により大気と保持部材とを連通し且つ前記液体移動手段を駆動することにより前記流路内に大気を取り込み且つ前記流路内に液体の流れを発生させることで、前記流路から前記貯蔵手段へ前記液体を回収するための回収手段と、
を備えることを特徴とするインクジェット記録装置。  
【請求項２】
前記回収手段は、記録手段による記録が終了してから所定期間経過しても記録命令がない場合、前記液体の回収を開始することを特徴とする請求項１に記載のインクジェット記録装置。
【請求項３】
前記回収手段は、前記液体保持空間内の液体の有無に関する情報に基づいて前記液体移動手段の駆動を停止することにより、前記液体の回収を終了することを特徴とする請求項１または２に記載のインクジェット記録装置。
【請求項４】
前記液体移動手段はチューブポンプであることを特徴とする請求項１乃至３のいずれかに記載のインクジェット記録装置。
【請求項５】
前記経路は、前記貯蔵手段から前記液体保持空間へ前記液体を供給するための第１の経路と、前記液体保持空間から前記貯蔵手段へ前記液体を回収するための第２の経路とを含み、
前記液体移動手段は、前記第１の経路あるいは前記第２の経路に配置され、且つ前記第１の経路から前記第２の経路に向かって前記液体を移動させることを特徴とする請求項１乃至４のいずれかに記載のインクジェット記録装置。
【請求項６】
前記液体移動手段は、前記切換手段よりも前記液体の流れ方向の下流側の、前記第１の経路または第２の経路のいずれかに配置されることを特徴とする請求項５に記載のインクジェット記録装置。
【請求項７】
前記液体移動手段は前記第１の経路に配置され、
前記第２の経路における液体の逆流を防ぐための手段が前記第２の経路に配置されることを特徴とする請求項５に記載のインクジェット記録装置。
【請求項８】
前記切換手段が前記第１の経路に配置され、
前記液体移動手段が前記第２経路に配置されることを特徴とする請求項５に記載のインクジェット記録装置。
【請求項９】
前記液体移動手段は、該液体移動手段の駆動が停止している際に、該液体移動手段が配置されている方の経路を遮断することを特徴とする請求項５に記載のインクジェット記録装置。
【請求項１０】
前記貯蔵手段は、該貯蔵手段と大気とを連通する大気連通口の開放および遮断を切換える大気連通手段を備え、
該大気連通手段は、前記液体の回収が終了すると、前記大気連通口を遮断することを特徴とする請求項１乃至９のいずれかに記載のインクジェット記録装置。
【請求項１１】
前記液体移動手段の駆動を制御することにより、前記貯蔵手段と前記液体保持空間との間で前記液体を循環させることを特徴とする請求項１乃至１０のいずれかに記載のインクジェット記録装置。
【請求項１２】
前記第１の経路の少なくとも一部は、前記貯蔵手段に最大量の液体を貯蔵した際の液面である最大貯蔵液面より高い水頭の位置に配置されることを特徴とする請求項５に記載のインクジェット記録装置。
【請求項１３】
インクジェット記録装置であって、
記録媒体に液体を塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、
前記塗布手段により液体が塗布された記録媒体に対して記録ヘッドからインクを吐出させることにより前記記録媒体に画像を記録する記録手段と、
前記液体を貯蔵する貯蔵手段と、
前記貯蔵手段と前記保持部材とを連通するための第１の経路であって、前記貯蔵手段から前記液体保持空間へ前記液体を供給するための第１の経路と、
前記貯蔵手段と前記保持部材とを連通するための第２の経路であって、前記液体保持空間から前記貯蔵手段へ前記液体を回収するための第２の経路と、
前記貯蔵手段と前記保持部材とを前記第１の経路を介して連通する状態にするか、大気と前記保持部材とを前記第１の経路を介して連通する状態にするかを切換える切換手段と、
前記第１の経路、前記液体保持空間および前記第２の経路を含む流路において前記液体の流れを発生させるための液体移動手段と、
前記切換手段により大気と保持部材とを前記第１の経路を介して連通し且つ前記液体移動手段を駆動することにより、前記流路内へ前記第１の経路から大気を取り込み且つ前記第１の経路から前記第２の経路に向かう液体の流れを発生させることで、前記流路から前記貯蔵手段へ前記液体を回収するための回収手段と、
を備えることを特徴とするインクジェット記録装置。
【請求項１４】
前記切換手段は前記第１の経路に配置され、
前記液体移動手段は前記第２の経路に配置されることを特徴とする請求項１３に記載のインクジェット記録装置。
【請求項１５】
前記液体の回収は、前記液体移動手段を駆動した後に前記切換手段によって大気と保持部材とを連通させることで実行されることを特徴とする請求項１または１３に記載のインクジェット記録装置。
【請求項１６】
前記液体は、前記インクの色材を凝集あるいは不溶化させるための液体であることを特徴とする請求項１乃至１５のいずれかに記載のインクジェット記録装置。
【請求項１７】
インクジェット記録装置であって、
インクと反応する液体を記録媒体に塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、
前記塗布手段により液体が塗布された記録媒体に対して記録ヘッドからインクを吐出させることにより前記記録媒体に画像を記録する記録手段と、
前記液体を貯蔵する貯蔵手段と、
前記貯蔵手段と前記保持部材とを連通するための第１の経路であって、前記貯蔵手段から前記液体保持空間へ前記液体を供給するための第１の経路と、
前記貯蔵手段と前記保持部材とを連通するための第２の経路であって、前記液体保持空間から前記貯蔵手段へ前記液体を回収するための第２の経路と、
前記貯蔵手段と前記保持部材とを前記第１の経路を介して連通する状態と、大気と前記保持部材とを前記第１の経路を介して連通する状態とを切換え可能な切換手段と、
前記第１の経路、前記液体保持空間および前記第２の経路を含む流路において前記液体の流れを発生させるための、前記第２の経路に配置されたポンプと、
前記切換手段と前記ポンプを制御することにより、前記流路から前記貯蔵手段へ前記液体を回収するための回収手段とを備え、
前記回収手段は、前記ポンプを駆動して前記流路内に液体の流れを発生させた後に、前記大気と前記保持部材とを前記第１の経路を介して連通する状態として前記第１の経路に大気を取り込むことで、前記流路から前記貯蔵手段へ前記液体を回収することを特徴とするインクジェット記録装置。
【請求項１８】
記録媒体に液体を塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、前記塗布手段により液体が塗布された記録媒体に対して記録ヘッドからインクを吐出させることにより前記記録媒体に画像を記録する記録手段と、を備えるインクジェット記録装置の制御方法であって、  
前記液体を貯蔵する貯蔵手段と前記保持部材とを連通する経路を大気と連通して、当該経路に大気を取り込む工程と、
前記経路に配置されるポンプを駆動して、前記経路および前記液体保持空間を含む流路内に液体の流れを発生させる工程と、
前記大気の取り込みおよび前記液体の流れによって、前記流路中の液体を前記貯蔵手段に回収する工程と、
を有することを特徴とするインクジェット記録装置の制御方法。
【請求項１９】
前記液体の流れを発生させる工程を実行した後に、前記経路に大気を取り込む工程を実行することを特徴とする請求項１８に記載のインクジェット記録装置の制御方法。
【請求項２０】
前記塗布手段による液体の塗布中に、前記貯蔵手段と前記液体保持空間との間で前記液体を循環させることを特徴とする請求項１８または１９に記載のインクジェット記録装置の制御方法。
【手続補正２】
【補正対象書類名】明細書
【補正対象項目名】発明の名称
【補正方法】変更
【補正の内容】
【発明の名称】インクジェット記録装置およびその制御方法
【手続補正３】
【補正対象書類名】明細書
【補正対象項目名】００１２
【補正方法】変更
【補正の内容】
【００１２】
本発明は、上記問題を解決するためになされたものであり、その目的とするところは、ローラとの間に形成される空間に塗布液を保持する液体保持部材における塗布液の長時間放置による蒸発の軽減、および装置の姿勢差に依らず液体保持部材からの液漏れを防止することができるインクジェット記録装置およびその制御方法を提供することにある。
【手続補正４】
【補正対象書類名】明細書
【補正対象項目名】００１３
【補正方法】変更
【補正の内容】
【００１３】
このような目的を達成するために、本発明は、インクジェット記録装置であって、記録媒体に液体を塗布するための塗布部材と、前記塗布部材に当接して形成される液体保持空間に液体を保持するための保持部材とを備え、前記塗布部材を回転させることにより前記液体保持空間に保持される液体を前記塗布部材を介して前記記録媒体に塗布する塗布手段と、前記塗布手段により液体が塗布された記録媒体に対して記録ヘッドからインクを吐出させることにより前記記録媒体に画像を記録する記録手段と、前記液体を貯蔵する貯蔵手段と、前記貯蔵手段と前記保持部材とを連通するための経路と、前記貯蔵手段と前記保持部材とを前記経路を介して連通する状態にするか、大気と前記保持部材とを前記経路を介して連通する状態にするかを切換える切換手段と、前記経路および前記液体保持空間を含む流路において、前記液体の流れを発生させるための液体移動手段と、前記切換手段により大気と保持部材とを連通し且つ前記液体移動手段を駆動することにより前記流路内に大気を取り込み且つ前記流路内に液体の流れを発生させることで、前記流路から前記貯蔵手段へ前記液体を回収するための回収手段と、を備えることを特徴とする。
【手続補正５】
【補正対象書類名】明細書
【補正対象項目名】００１４
【補正方法】変更
【補正の内容】
【００１４】
また、本発明は、インクジェット記録装置であって、記録媒体に液体を塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、前記塗布手段により液体が塗布された記録媒体に対して記録ヘッドからインクを吐出させることにより前記記録媒体に画像を記録する記録手段と、前記液体を貯蔵する貯蔵手段と、前記貯蔵手段と前記保持部材とを連通するための第１の経路であって、前記貯蔵手段から前記液体保持空間へ前記液体を供給するための第１の経路と、前記貯蔵手段と前記保持部材とを連通するための第２の経路であって、前記液体保持空間から前記貯蔵手段へ前記液体を回収するための第２の経路と、前記貯蔵手段と前記保持部材とを前記第１の経路を介して連通する状態にするか、大気と前記保持部材とを前記第１の経路を介して連通する状態にするかを切換える切換手段と、前記第１の経路、前記液体保持空間および前記第２の経路を含む流路において前記液体の流れを発生させるための液体移動手段と、前記切換手段により大気と保持部材とを前記第１の経路を介して連通し且つ前記液体移動手段を駆動することにより、前記流路内へ前記第１の経路から大気を取り込み且つ前記第１の経路から前記第２の経路に向かう液体の流れを発生させることで、前記流路から前記貯蔵手段へ前記液体を回収するための回収手段と、を備えることを特徴とする。
また、本発明は、インクジェット記録装置であって、インクと反応する液体を記録媒体に塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、前記塗布手段により液体が塗布された記録媒体に対して記録ヘッドからインクを吐出させることにより前記記録媒体に画像を記録する記録手段と、前記液体を貯蔵する貯蔵手段と、前記貯蔵手段と前記保持部材とを連通するための第１の経路であって、前記貯蔵手段から前記液体保持空間へ前記液体を供給するための第１の経路と、前記貯蔵手段と前記保持部材とを連通するための第２の経路であって、前記液体保持空間から前記貯蔵手段へ前記液体を回収するための第２の経路と、前記貯蔵手段と前記保持部材とを前記第１の経路を介して連通する状態と、大気と前記保持部材とを前記第１の経路を介して連通する状態とを切換え可能な切換手段と、前記第１の経路、前記液体保持空間および前記第２の経路を含む流路において前記液体の流れを発生させるための、前記第２の経路に配置されたポンプと、前記切換手段と前記ポンプを制御することにより、前記流路から前記貯蔵手段へ前記液体を回収するための回収手段とを備え、前記回収手段は、前記ポンプを駆動して前記流路内に液体の流れを発生させた後に、前記大気と前記保持部材とを前記第１の経路を介して連通する状態として前記第１の経路に大気を取り込むことで、前記流路から前記貯蔵手段へ前記液体を回収することを特徴とする。
また、本発明は、記録媒体に液体を塗布するための塗布ローラと、前記塗布ローラに当接して形成される液体保持空間に液体を保持するための保持部材とを備え、前記塗布ローラを回転させることにより前記液体保持空間に保持される液体を前記塗布ローラを介して前記記録媒体に塗布する塗布手段と、前記塗布手段により液体が塗布された記録媒体に対して記録ヘッドからインクを吐出させることにより前記記録媒体に画像を記録する記録手段と、を備えるインクジェット記録装置の制御方法であって、前記液体を貯蔵する貯蔵手段と前記保持部材とを連通する経路を大気と連通して、当該経路に大気を取り込む工程と、前記経路に配置されるポンプを駆動して、前記経路および前記液体保持空間を含む流路内に液体の流れを発生させる工程と、前記大気の取り込みおよび前記液体の流れによって、前記流路中の液体を前記貯蔵手段に回収する工程と、を有することを特徴とする。